(57)【要約】      （修正有）【課題】発光が強すぎて美観に欠ける着信報知用照明に、装飾効果を持たせる携帯型通信端末用装飾具を提供する。【解決手段】背面被覆部材２の上部には表面から裏面に貫通して光取込孔６が形成され、背面被服部材の中央部裏面に凹溝９をハート型に形成した光散乱装飾部１０が設けられ、光取込孔と光散乱装飾部との間の平端部には平滑光導波板部を構成している。光取込孔６は携帯型通信端末の背面に設けられた照明部材Ｌを取り囲むように形成されており、照明部材から放出された光を光取込孔の内周縁７から背面被覆部材２の内部に取り込むことができる。光散乱装飾部が形成する装飾形状に沿って光を放出させ、通信端末の着信と連動して着信を使用者に報知すると共に、前記装飾形状が光によって浮き出る様子を鑑賞することができる。【選択図】図１
0003184427.tif 000002
【実用新案登録請求の範囲】
【請求項１】
着信と連動して発光することができる照明部材を備えた携帯型通信端末の前記背面部に装着して使用される携帯型通信端末用装飾具であって、
当該携帯型通信端末装飾具は、
使用時に携帯型通信端末の背面と対面する面を裏面とし、当該裏面と反対側の面を表面とする透明素材からなる背面被覆部材と、
前記背面被覆部材の裏面に設けられ、携帯型通信端末の背面部との固定に用いられる装着部材とからなり、
前記背面被覆部は、
携帯型通信端末用装飾具が装着された状態において、前記照明部材が露出する位置に表面から裏面に貫通して形成された光取込孔と、
前記光取込孔の周囲に連続して形成されると共に、表面及び裏面が平滑な面に形成されてなる平滑光導波板部と、
前記平滑光導波板部と連続して一体に形成され、平滑光導波板部に対して突出若しくは陥没して形成された凹凸部からなる光散乱装飾部とを備えてなること
を特徴とする携帯型通信端末用背面装飾具。
【請求項２】
着信と連動して発光することができる照明部材を備えた携帯型通信端末の前記背面部に装着して使用される携帯型通信端末用装飾具であって、
当該携帯型通信端末装飾具は、
使用時に携帯型通信端末の背面と対面する面を裏面とし、当該裏面と反対側の面を表面とする透明素材からなる背面被覆部材と、
前記背面被覆部材の裏面に設けられ、携帯型通信端末の背面部との固定に用いられる装着部材とからなり、
前記背面被覆部は、
携帯型通信端末用装飾具が装着された状態において、前記照明部材が露出する位置に表面から裏面に貫通して形成された光取込孔と、
前記光取込孔の周囲に連続して形成されると共に、表面及び裏面が平滑な面に形成されてなる平滑光導波板部とを備え、
前記平滑光導波板部と連続して一体に形成され、前記背面被覆部の外周部を構成する端部が光放出部に形成されてなること
を特徴とする携帯型通信端末用背面装飾具。
【請求項３】
前記光取込孔の表面側を被覆して照明部材に対向した光取込面を有する光取込部材が着脱可能に取り付けられてなること
を特徴とする請求項１若しくは２に記載の携帯型通信端末用装飾具。
【請求項４】
前記装着部材が、背面被覆部材の裏面全体に塗布され、携帯型通信端末と着脱可能な粘着部材であること
を特徴とする請求項１〜３のいずれかに記載の携帯型通信端末用装飾具。
【請求項５】
前記装着部材が、背面被覆部材の周縁部の裏面に塗布され、携帯型通信端末と着脱可能な粘着部材であること
を特徴とする請求項１〜３のいずれかに記載の携帯型通信端末用装飾具。
【請求項６】
前記装着部材が、背面被覆部材の周縁部の裏面から略垂直方向に突出して形成された携帯型通信端末の側面を把持する係止爪であること
を特徴とする請求項１〜３のいずれかに記載の携帯型通信端末用装飾具。
【考案の詳細な説明】
【技術分野】
【０００１】
本考案は、他者から送信された音声、文字情報、及び画像情報を含む受信信号を感知することができる携帯型通信端末に装着して使用される携帯型通信端末用装飾具に関する。
【背景技術】
【０００２】
近年、携帯電話機を含む携帯型通信端末には、背面部に周囲を照らす手段として照明部を備えたものが多く開発されており、受信信号の感知（以下、着信という。）に連動させて前記照明部を発光させる機能を有するものも存在する。
【先行技術文献】
【特許文献】
【０００３】
【特許文献１】特開２００７−２８８７３０号公報
【考案の概要】
【考案が解決しようとする課題】
【０００４】
しかし、前記照明部の発光を直接着信報知として機能させた場合には、照明用としての強い発光が直接外部に放出されるため、着信の報知機能としては光が強すぎると共に、特に装飾効果もないという問題があった。
【課題を解決するための手段】
【０００５】
そこで、上記課題を解決するための手段として本考案に係る携帯型通信端末用装飾具は、着信と連動して発光することができる照明部材を備えた携帯型通信端末の前記背面部に装着して使用される携帯型通信端末用装飾具であって、当該携帯型通信端末装飾具は、使用時に携帯型通信端末の背面と対面する面を裏面とし、当該裏面と反対側の面を表面とする透明素材からなる背面被覆部材と、前記背面被覆部材の裏面に設けられ、携帯型通信端末の背面部との固定に用いられる装着部材とからなり、前記背面被覆部は、携帯型通信端末用装飾具が装着された状態において、前記照明部材が露出する位置に表面から裏面に貫通して形成された光取込孔と、前記光取込孔の周囲に連続して形成されると共に、表面及び裏面が平滑な面に形成されてなる平滑光導波板部と、前記平滑光導波板部と連続して一体に形成され、平滑光導波板部に対して突出若しくは陥没して形成された凹凸部からなる光散乱装飾部とを備えてなることを特徴とする。
【０００６】
また、本考案に係る携帯型通信端末用装飾具は、着信と連動して発光することができる照明部材を備えた携帯型通信端末の前記背面部に装着して使用される携帯型通信端末用装飾具であって、当該携帯型通信端末装飾具は、使用時に携帯型通信端末の背面と対面する面を裏面とし、当該裏面と反対側の面を表面とする透明素材からなる背面被覆部材と、前記背面被覆部材の裏面に設けられ、携帯型通信端末の背面部との固定に用いられる装着部材とからなり、前記背面被覆部は、携帯型通信端末用装飾具が装着された状態において、前記照明部材が露出する位置に表面から裏面に貫通して形成された光取込孔と、前記光取込孔の周囲に連続して形成されると共に、表面及び裏面が平滑な面に形成されてなる平滑光導波板部とを備え、前記平滑光導波板部と連続して一体に形成され、前記背面被覆部の外周部を構成する端部が光放出部に形成されてなることを特徴とするものであっても好ましい。
【０００７】
背面被覆部材を構成する透明素材は照明部から放出される光を透過する透明素材で形成されていることが好ましい。当該透明素材には、例えばポリカーボネイト、若しくはＡＢＳ樹脂等の透明樹脂を用いることができる。また、ガラスを用いてもよい。
【０００８】
光取込孔は、携帯型通信端末用装飾具を携帯型通信端末に装着した状態（以下、装着状態という。）で、照明部材の外周縁と近接して開口されてなる。光取込孔が照明部材の外周縁と近接して形成されることにより、照明部材から放出された光を光取込孔の内周縁から背面被覆部材の内部に取り込むことができる。
【０００９】
光散乱装飾部を構成する凹凸部は、背面被服部材に透明樹脂を用いる場合には、押し出し成形、射出成形等の樹脂成形技術を用いて成形することとしても好ましい。また、ガラス素材が用いられる場合には、エッチング技術によって凹凸部を形成することとしても好ましい。また、凹凸部の端面の少なくとも一部は透明に形成されている。
【００１０】
光取込孔から取り込まれた光は、平滑光導波板部を光導波路として背面被覆部材の内部を導波し、光散乱装飾部を構成する凹凸部で散乱されて、凹凸部の端面から携帯型通信端末用装飾具の外部に放出される。携帯型通信端末用装飾具の外部に放出される光は前記凹凸部に沿って放出されるため、使用者は、着信があると光散乱装飾部から放出された光を見て着信を知ることができる。
【００１１】
光散乱装飾部は、凹凸部によって何らかの模様や漫画のキャラクター、アクセサリー、食べ物、動物、植物、建物、若しくは乗物等の物品の形状を形成していることが好ましい。着信によって照明部材から放出された光が光散乱装飾部まで導かれ、これらの形状を縁取るように放出されるため、漫画のキャラクター等の装飾が光で浮き出ることにより携帯型通信端末用装飾具の中央部の装飾性を高めることができるからである。
【００１２】
光放出部は、背面被服部材の外周部を構成する端部であり、背面被覆部材の外周を縁取るように形成されてなる。着信によって照明部材から放出された光は、光取込孔から取り込まれ、平滑光導波板部の内部を導波して前記端部に到達し、当該端部の端面から放出される。これにより、背面被覆部材の外周部が縁取られるように輝く様子を鑑賞することができる。光放出部の端面の少なくとも一部は透明に形成されている。
【００１３】
光取込孔から取り込まれた光は、平滑光導波板部を光導波路として背面被覆部材の内部を導波し、光放出部を構成する端部で散乱されて、光放出部の端面から携帯型通信端末用装飾具の外部に放出される。携帯型通信端末用装飾具の外部に放出される光は前記光放出部に沿って放出されるため、使用者は、着信があると方出部から放出された光を見て着信を知ることができる。また、背面被服部材の外周部が縁取られるように光を放出させることもできるため、着信時の携帯型通信端末用装飾具全体の装飾性を高めることができる。
【００１４】
光取込孔の内周縁は、装着状態において、背面被覆部材を表面側から正面に見たときに、少なくとも前記内周縁の一部が照明部材の外周縁から内側へ０．５ｍｍ以内若しくは外側へ０．５ｍｍ以内の範囲に位置することが好ましく、光取込孔の内周縁の全てが前記範囲に位置すればより好ましい。前記照明部材からの光は、照明部材の中心から径方向外方に拡開しながら放出されるため、光取込孔の内周縁の全てが照明部材の外周縁の外側０．５ｍｍよりも遠い位置に位置することとなると、背面被覆部材の内部に取り込むことができる光量が少なくなり、光散乱装飾部まで十分な量の光を導くことができないからである。
【００１５】
一方、光取込孔の内周縁が照明部材の外周縁から内側へ０．５ｍｍよりも内側に位置すると、照明部材から放出された光の大部分が背面被覆部材によって取り込まれるため、照明部材を本来の照明機能を利用するために携帯型通信端末用装飾具の外部に放出させるべき必要な光量を確保することができなくなる。
【００１６】
なお、光取込孔の内周縁が照明部材の外周縁の外側に位置する場合に、より効率良く光を取り込むためには、光取込孔の内周縁の少なくとも一部は照明部材の外周縁の外側へ０．３ｍｍ以内の範囲に位置することが好ましい。
【００１７】
また、前記装着部材が、背面被覆部材の裏面全体に塗布され、携帯型通信端末と着脱可能な粘着部材であっても好ましい。粘着部材が背面被覆部材の裏面全体に塗布されていることによって、粘着部材の一部が剥がれても携帯型通信端末用装飾具を携帯型通信端末から容易に脱落させることなく安定に装着させることができる。
【００１８】
前記装着部材が、背面被覆部材の周縁部の裏面に塗布され、携帯型通信端末と着脱可能な粘着部材であっても好ましい。
【００１９】
また、装着部材が前記背面被覆部材の裏面全体に塗布された粘着部材、若しくは背面被覆部材の周縁部範面に塗布された粘着部材である場合、背面被覆部材は全体として薄いシート状に形成されていることが好ましい。背面被覆部材が薄いシート状に形成されていることで、粘着部材の粘着力を高めなくとも十分強固に携帯型通信端末用装飾具を携帯型通信端末に装着させることができるからである。また、背面被覆部材が薄いシート状であることによって携帯型通信端末用装飾具の重量を軽くすることができ、装着状態においても携帯型通信端末の持ち運びに支障をきたすことがない。
【００２０】
前記装着部材が、背面被覆部材の周縁部の裏面から略垂直方向に突出して形成された携帯型通信端末の側面を把持する係止爪であっても好ましい。当該係止爪を用いて装着することによって、携帯型通信端末用装飾具の携帯型通信端末からの不意の脱離を効果的に防止することができる。
【００２１】
また、装着部材が係止爪である場合、当該係止爪及び背面被覆部材は肉厚の樹脂からなり、携帯型通信端末用装飾具全体が携帯型通信端末の背面を覆うように装着されるケースを構成してなることが好ましい。
【００２２】
また、光取込孔の表面側を被覆して照明部材に対向した光取込面を有する光取込部材を着脱可能に取り付けても好ましい。光取込面は、照明部材から放出された光を反射させることにより、光取込孔の内周縁へ光を導くことができる。光取込部材を用いれば、光取込部材を取り付けた状態では照明機能を利用することは困難となるが、照明部材から放出された光全体を効率よく光取込孔へ取り込ませることができ、平滑光導波板部を介して光散乱装飾部及び光放出部までより多くの光を導くことができる。そのため、光散乱装飾部及び光放出をより強く輝かせて装飾性を高めることができる。
【考案の効果】
【００２３】
本考案によれば、照明部から放出された光が光取込孔及び背面被覆部材を介して光散乱装飾部から放出されることによって、着信時の発光形状に装飾性を具備させることができ、携帯型通信端末の着信報知装置としての美観を高めることができる。
【００２４】
本考案によれば、照明部から放出された光が光取込孔及び背面被覆部材を介して光放出部から放出されることによって、着信時の発光形状に装飾性を具備させることができ、携帯型通信端末の着信報知装置としての美観を高めることができる。
【図面の簡単な説明】
【００２５】
【図１】携帯型通信端末用装飾具１の正面図である。
【図２】携帯型通信端末用装飾具１の背面図である。
【図３】携帯型通信端末用装飾具１のＡ−Ａ断面図である。（ａ）は光取込孔６の周囲部分の部分拡大断面図、（ｂ）は光散乱装飾部１０の周囲部分の部分拡大断面図を示す。
【図４】光散乱装飾部１０の周囲（二点鎖線Ｂ）で光Ａが放出されている様子を示す携帯型通信端末用装飾具１の正面図である。
【図５】携帯型通信端末用装飾具１ａの正面図である。
【図６】携帯型通信端末用装飾具１ａのＢ−Ｂ拡大断面図である。
【図７】携帯型通信端末用装飾具１ｂの正面図である。
【図８】携帯型通信端末用装飾具１ｂのＣ−Ｃ拡大断面図である。
【図９】携帯型通信端末用装飾具１ｃの裏面側から見た全体斜視図である。
【図１０】携帯型通信端末用装飾具１ｃの正面図である。
【図１１】携帯型通信端末用装飾具１ｃの背面図である。
【図１２】携帯型通信端末用装飾具１ｃのＤ−Ｄ拡大断面図である。
【図１３】光散乱装飾部１０の周囲（二点鎖線Ｂ）及び背面被覆部材２の外周に（二点鎖線Ｃ）沿って光Ａが放出されている様子を示す携帯型通信端末用装飾具１の正面図である。
【図１４】光取込孔６に光取込部材１３を取り付けた状態の携帯型通信端末用装飾具１の正面図である。
【図１５】光取込孔６に光取込部材１３を取り付けた状態の携帯型通信端末用装飾具１のＥ−Ｅ断面図である。（ａ）は光取込孔６の周囲部分の部分拡大断面図、（ｂ）は光散乱装飾部１０の周囲部分の部分拡大断面図を示す。
【考案を実施するための形態】
【００２６】
以下、本考案に係る実施の形態を、図を参照しながら詳しく説明する。
【００２７】
図１は、携帯型通信端末用装飾具１の正面図であり、図２は携帯型通信端末用装飾具１の背面図である。なお、図２には、携帯型通信端末用装飾具１を装着する位置に配置された携帯型通信端末Ｐを破線で示しており、Ｍは携帯型通信端末Ｐの紙面手前側に設けられているメインディスプレイである。携帯型通信端末用装飾具１は、使用時において携帯型通信端末Ｐを被覆する背面被覆部材２と、背面被覆部材２の裏面４の外周縁に塗布された粘着材からなる装着部材５とからなる。携帯型通信端末用装飾具１の携帯型通信端末Ｐへの装着は、図２及び図３に示すように、背面被覆部材２の外周縁を携帯型通信端末Ｐの背面の外周縁に沿って位置を合わせて、装着部材５を押し当てて粘着固定させることによって行う。
【００２８】
図１に示すように、背面被覆部材２の上部には表面３から裏面４に貫通して形成された光取込孔６が形成され、背面被服部材２の中央部には裏面４に凹溝９をハート型に形成してなる光散乱装飾部１０が設けられており、光取込孔６と光散乱装飾部１０との間の平端部は平滑光導波板部７を構成している。光取込孔６は携帯型通信端末Ｐの背面に設けられた照明部材Ｌを取り囲む位置となるように形成されており、照明部材Ｌから放出された光Ａを光取込孔６の内周縁７から背面被覆部材２の内部に取り込むことができる。なお、光取込孔６は照明部材Ｌに隣接して備え付けられたカメラ部材Ｍを露出させるためのカメラ穴１１と連続して形成されているため、本実施例においては光取込孔６の内周縁７のうち、背面被覆部材２の中央寄り部分が照明部材Ｌと近接する位置に設けられてなる。
【００２９】
本実施の形態において、光取込孔６は、照明部材Ｌと近接する内周縁７と照明部材Ｌの外周縁Ｌ１との間隔Ｄが、図３の部分拡大断面部（ａ）に示すように、照明部材Ｌの外周縁Ｌ１から外側へ０．３ｍｍとなる位置となるように形成されている。この位置に内周縁７を位置させることにより照明部材Ｌから放出された光Ａを効率よく背面被覆部材２の内部に取り込むことができる。
【００３０】
次に携帯型通信端末Ｐが着信した時の携帯型通信端末用装飾具１の機能について説明する。
【００３１】
携帯型通信端末Ｐが着信すると、着信に連動して照明部材Ｌが発光し、光Ａが放出される。照明部材Ｌから放出された光Ａの一部は、図３の部分拡大断面図（ａ）に示すように、光取込孔６の内周縁７から背面被覆部材２の内部に取り込まれ、平滑光導波板部７に沿って反射を繰り返しながら導波していく。
【００３２】
平滑光導波板部７を導波する光Ａは、図３の部分拡大断面図（ｂ）に示すように、光散乱装飾部１０に到達すると、光Ａは凹溝９の壁面で散乱し、携帯型通信端末用装飾具１の外部に放出される。当該光散乱装飾部１０における光Ａの放出は、図４の二点鎖線Ｂが示す形状に沿って凹溝９が形成するハート型に生ずるため、使用者は着信を知ることができると同時に、光Ａで輝くハート型の装飾を鑑賞することができる。
【００３３】
また、光散乱装飾部は背面被覆部材の表面若しくは裏面のいずれにおいて凹溝が形成されてなるものでもよく、また、凹溝に代えて凸部であってもよい。図５は、背面被覆部材２ａの表面３ａの中央部に凸部９ａによってハート型の模様を呈する光散乱装飾部１０ａが形成された携帯型通信端末用装飾具１ａの正面図であり、図６は、凸部９ａを備えた光散乱装飾部１０ａのＢ−Ｂ断面図である。なお、図５、図６中において、４ａは裏面、５ａは装着部材、６ａは光取込孔、７ａは内周縁、８ａは平滑光導波板部、１１ａはカメラ穴である。
【００３４】
また図７及び図８に示すように、装着部材５ｂは、背面被覆部材２ｂの裏面４ｂ全体にわたって塗布された粘着部材であり、当該装着部材５ｂを携帯型通信端末Ｐの背面全体に対して押し当てることで背面被覆部材２ｂを粘着固定できるものであっても良い。装着部材５ｂが背面被覆部材２ｂの裏面４ｂ全体に塗布されていることによって、装着部材５ｂの一部が剥がれても携帯型通信端末用装飾具１ｂを携帯型通信端末Ｐから容易に脱落させることなく安定に装着させることができる。なお、図７、図８中において、３ｂは表面、４ｂは裏面、６ｂは光取込孔、７ｂは内周縁、８ｂは平滑光導波板部、９ｂは凹溝、１０ｂは光散乱装飾部、１１ｂはカメラ穴である。
【００３５】
さらにまた図９〜図１２に示すように、装着部材５ｃは、背面被覆部材２ｃの周縁部の裏面４ｃから略垂直方向に突出して形成された係止爪であっても好ましい。当該係止爪が携帯型通信端末Ｐの側面を把持することによって携帯型通信端末用装飾具１ｃを装着することによって、携帯型通信端末用装飾具１ｃの携帯型通信端末Ｐからの不意の脱離を効果的に防止することができる。なお、図９〜図１２中において、３ｃは表面、６ｃは光取込孔、７ｃは内周縁、８ｃは平滑光導波板部、９ｃは凹溝、１０ｃは光散乱装飾部、１１ｃはカメラ穴である。
【００３６】
また、装着部材５ｃが係止爪である場合、当該係止爪及び背面被覆部材２ｃは肉厚の樹脂からなり、携帯型通信端末用装飾具１ｃ全体が携帯型通信端末Ｐの背面を覆うように装着されるケースを構成してなることが好ましい。
【００３７】
また、図１３に示すように、背面被覆部材２の外周端部が透明に形成されていることにより、前記外周端部が光放出部１２を構成することとしても好ましい。
【００３８】
この場合、携帯型通信端末Ｐが着信すると、着信に連動して照明部材Ｌが発光し、光Ａが光取込孔６を介して内周縁７から背面被覆部材２の内部に取り込まれる。
【００３９】
平滑光導波板部７を導波する光Ａは、光放出部１２に到達すると、光放出部１２の端面で散乱し、携帯型通信端末用装飾具１の外部に放出される。当該光放出部１２における光Ａの放出は、図１３の二点鎖線Ｃが示す背面被覆部材２の外周に沿って生ずるため、使用者は着信を知ることができると同時に、背面被服部材２の外周部が縁取られるように輝く携帯型通信端末用装飾具１を鑑賞することができる。
【００４０】
なお、図１３には光散乱装飾部１０も合わせて形成されているため、着信時には、光放出部１２と共に光散乱装飾部１０に沿った二点鎖線Ｂ部においても同時に光り輝く様子を鑑賞することができる。
【００４１】
さらに、光取込孔６の表面側に光取込孔６を被覆して、光取込部材１３を取り付けても好ましい（図１４）。このとき、光取込部材１３の裏面には粘着層が設けられており、光取込孔６に着脱自在に貼り付けられることによって取り付けられていることが好ましい。
【００４２】
光取込部材１３は照明部材Ｌと対向する面が光取込面１４に形成されており、図１５に示すように照明部材Ｌから放出された光Ａを光取込面１４で反射させることができる。
【００４３】
光取込面１４は、照明部材Ｌから放出された光Ａを反射させることにより、光取込孔６の内周縁７へ光Ａを導くことができる。光取込部材１３を用いれば、光取込部材１３を取り付けた状態では照明機能を利用することは困難となる。一方で、図１５の部分拡大断面図（ａ）に示すように照明部材１３から放出された光全体を効率よく光取込孔６へ取り込ませることができ、図１５の部分拡大断面図（ａ）、（ｂ）に示すように平滑光導波板部８を介して光散乱装飾部１０及び光放出部１２までより多くの光Ａを導くことができる。そのため、光散乱装飾部１０及び光放出１２をより強く輝かせて装飾性を高めることができる。
【符号の説明】
【００４４】
１    携帯型通信端末用装飾具
２    背面被覆部材
５    装着部材
６    光取込孔
７    内周縁
８    平滑光導波板部
９    凹溝
１０  光散乱装飾部
１２  光放出部
１３  光取込部材
１４  光取込面
Ｌ    照明部材
【図１】
0003184427.tif 000003
【図２】
0003184427.tif 000004
【図３】
0003184427.tif 000005
【図４】
0003184427.tif 000006
【図５】
0003184427.tif 000007
【図６】
0003184427.tif 000008
【図７】
0003184427.tif 000009
【図８】
0003184427.tif 000010
【図９】
0003184427.tif 000011
【図１０】
0003184427.tif 000012
【図１１】
0003184427.tif 000013
【図１２】
0003184427.tif 000014
【図１３】
0003184427.tif 000015
【図１４】
0003184427.tif 000016
【図１５】
0003184427.tif 000017